(57)【要約】【課題】競馬場招待を希望する会員の通信投票に利用しているパソコン、携帯電話のメールアドレス又はＦＡＸ番号を登録し、招待者をコンピュータで自動抽選し、当選した会員のパソコン、携帯電話等へ案内状を配信し、その案内状を持参した招待者の確認も自動化した招待システムを提供する。【解決手段】招待システムは、競馬場を運用する投票管理システムからの通信投票会員の最新情報を常にデータベースに記録し、キャンペーン参加希望入力画面を希望者へ送信してその条件をデータベースに記録し、そのデータベースを基に招待者の抽選を行い、さらに通知に際しては案内状に認証コードを記載しておき、来場の際にはその認証コードと会員番号で確認を行う手段を備える。【選択図】図１
2005149151.tif 000002
【特許請求の範囲】
【請求項１】
指定口座に投票購入料金を予め預金し、インターネットを含む通信回線を介して勝馬投票券購入ができる通信投票会員に登録し会員カードを持つ加入者を対象として自動抽選し、その抽選した加入者の利用しているＷｅｂブラウザを備えるパソコン、インターネット対応携帯電話、ＰＢ音操作による投票データ送信可能のプッシュホン電話に対して競馬場観覧席招待案内状を送信すると共に、ファックスがあれば、その招待状を送信し、その招待状と前記会員カードによって招待者の確認を行う招待システムであって、
前記パソコン、携帯電話及びプッシュホン電話の各端末機への招待案内送信及びその参加申込応答受信のためのＷｅｂサーバ及び音声応答及びＦＡＸ配信の各回路部を設けた電話回線接続部と、前記勝馬投票運営企業が運用する投票管理センタから前記通信投票会員の最新の情報データを蓄積する会員データベースを少なくとも設けるデータベースサーバと、前記競馬場観覧席招待業務手段を少なくとも有するアプリケーションサーバとを備え、
前記観覧席業務手段は、所定時刻毎に前記投票管理センタへ通信回線を介して接続し、最新の通信投票会員の会員カード番号又は会員ＩＣカード番号とその情報データを受信し、前記会員データベースを更新する会員番号・情報受信手段と、
前記投票管理センタが企画する競馬場観覧席招待キャンペーンに基づいて、予め、会員にキャンペーン参加意思、メールアドレス、ファックス番号、来場を希望する競馬場名の記入欄のあるキャンペーン参加希望入力画面を送信し、その入力データを受信し前記会員データベースに登録するキャンペーン参加希望入力画面送信登録手段と、
前記会員データベースの前記キャンペーン参加希望者毎に、さらに、投票管理センタから受信している投票履歴と、現在までのキャンペーンによる招待回数及び年齢、住所、趣味を含む情報データを加える登録情報追加手段と、
前記会員データベースを基に、キャンペーン参加希望者毎に、投票回数、投票金額、年齢、住所、趣味・性別を含む情報と、招待者数（来賓席数、指定席数、一般席数毎の各招待者数）とを選択条件として招待者選択プログラムに入力し、演算させて招待者を決める招待者選出手段と、
自動抽出された招待者に対して、Ｗｅｂサーバからインターネットを介して招待者の前記メールアドレスに前記招待案内状を配信し、招待者にＦＡＸがある場合は、前記電話回線接続部から通信回線を介して選出招待者の前記ファックス番号へ自動的に前記招待案内状を送信する招待案内状配信手段とを少なくとも備えることを特徴とする競馬場観覧席招待システム。
【請求項２】
前記招待案内状には、少なくとも会員氏名、会員番号、招待日、招待場所及び席と共に、それらの会員番号、招待日及び招待場所及び席の総てに関連付けられた英数字、バーコード、二次元コード、カルラコードのいずれかに決めたパターンを生成して一意の認証コードを記載する認証コード生成／記載手段を備えることを特徴とする請求項１記載の競馬場観覧席招待システム。
【請求項３】
前記認証コードのコード読取機と、前記通信投票会員に発行される会員カード或いは会員ＩＣカードのカード読取機とをさらに備え、
前記パソコンで印刷された招待状或いは前記ＦＡＸで通知された招待状の認証コードを認証コード読取機で読取り、１時メモリに記憶させる認証コード読取手段と、
前記会員カードをカード読取機で読取り、１時メモリに記憶させる会員カード読取手段と、
それらの１時メモリデータを前記会員データベースに基づいて照合し、招待状の確認を行う招待状確認手段とを備えることを特徴とする請求項２記載の競馬場観覧席招待システム。
【発明の詳細な説明】
【技術分野】
【０００１】
本発明は、通信回線、インターネットなどを介して勝馬投票権を購入できる通信投票会員に登録している加入者を対象とし、競馬場への招待キャンペーンを実施するに際して、招待者選出を自動抽出し、その招待者へ電子メール、ファックスにより招待状を送信し、その招待状と会員カードによって招待者の確認を行うシステムに関する。
【背景技術】
【０００２】
従来、全国各地に散在する競馬場の指定席の利用は、あらかじめ電話やインターネットで場所、日付、指定席区分を指定して予約申し込みを行うか、当日、競馬場の案内カウンターで空席の指定席の入場券を購入するかの何れかの方法で行われていた。
【０００３】
また、競馬場運営事業者は、利用者へのサービスとして、無料招待キャンペーンを行うことが望まれていた。しかしその際、常日頃、利用の多い電話投票会員、インターネット投票会員の名簿から招待者を抽出することが望ましいが、その作業には、会員情報の抽出、選定に手間及び招待状の送付に手間がかかることから困難であった。
【０００４】
また、無差別に会員の中から招待者を選定した場合、来場が不可能な会員に対しても招待状を送付してしまい、結果として当日空席となる問題があった。この解決のためには、予め、会員の来場希望の競馬場、日程の希望を受付けておき、その希望に該当する会員の中から招待者を抽出しなければならない課題があった。
【０００５】
また、特別レースの当日には、特別レースのファン層に合わせた招待者の抽出・選定が望まれていた。例えば、桜花賞やオークス当日には、性別を抽出条件とし、女性会員を多く招待する、天皇賞当日には、年齢層と、その購入金額区分を抽出条件とし、熟年高額購入会員を中心に招待する。七夕賞当日には若年男女会員を招待者として抽出することが望まれていた。
【０００６】
さらに、抽出した招待者に対する招待状の送付コスト（招待状の印刷、郵送の手間）を削減することが課題であった。また、来場した招待者の本人確認、招待状の座席確認を容易に確実に行えるシステムが必要であった。特許文献１には、インターネットを介してチケットを購入する販売システムの抽選方法が開示されている。
【０００７】
【特許文献１】特開２００１−１５５２０３号公報（第２，３頁、第１図）
【発明の開示】
【発明が解決しようとする課題】
【０００８】
本発明は前述した問題点に鑑みてなされたものであり、その目的とするところは、勝馬投票会員を対象とした、競馬場指定席の無料招待キャンペーンの申込受付から、招待者の抽出、招待状の送付、招待者の入場受付までのトータル処理システムの提供を課題とする。
【０００９】
また、招待者の公平化・特典権利保護を図ると共に、指定座席の空席を防止して来場者の快適な競走観戦を提供することを目的とする。
【課題を解決するための手段】
【００１０】
本発明の競馬場観覧席招待システムは、指定口座に投票購入料金を予め預金し、インターネットを含む通信回線を介して勝馬投票券購入ができる通信投票会員に登録し会員カードを持つ加入者を対象として自動抽選し、その抽選した加入者の利用しているＷｅｂブラウザを備えるパソコン、インターネット対応携帯電話、ＰＢ音操作による投票データ送信可能のプッシュホン電話に対して競馬場観覧席招待案内状を送信すると共に、ファックスがあれば、その招待状を送信し、その招待状と前記会員カードによって招待者の確認を行う招待システムであって、
前記パソコン、携帯電話及びプッシュホン電話の各端末機への招待案内送信及びその参加申込応答受信のためのＷｅｂサーバ及び音声応答及びＦＡＸ配信の各回路部を設けた電話回線接続部と、前記勝馬投票運営企業が運用する投票管理センタから前記通信投票会員の最新の情報データを蓄積する会員データベースを少なくとも設けるデータベースサーバと、前記競馬場観覧席招待業務手段を少なくとも有するアプリケーションサーバとを備え、
前記観覧席業務手段は、所定時刻毎に前記投票管理センタへ通信回線を介して接続し、最新の通信投票会員の会員カード番号又は会員ＩＣカード番号とその情報データを受信し、前記会員データベースを更新する会員番号・情報受信手段と、
前記投票管理センタが企画する競馬場観覧席招待キャンペーンに基づいて、予め、会員にキャンペーン参加意思、メールアドレス、ファックス番号、来場を希望する競馬場名の記入欄のあるキャンペーン参加希望入力画面を送信し、その入力データを受信し前記会員データベースに登録するキャンペーン参加希望入力画面送信登録手段と、
前記会員データベースの前記キャンペーン参加希望者毎に、さらに、投票管理センタから受信している投票履歴と、現在までのキャンペーンによる招待回数及び年齢、住所、趣味を含む情報データを加える登録情報追加手段と、
前記会員データベースを基に、キャンペーン参加希望者毎に、投票回数、投票金額、年齢、住所、趣味・性別を含む情報と、招待者数（来賓席数、指定席数、一般席数毎の各招待者数）とを選択条件として招待者選択プログラムに入力し、演算させて招待者を決める招待者選出手段と、
自動抽出された招待者に対して、Ｗｅｂサーバからインターネットを介して招待者の前記メールアドレスに前記招待案内状を配信し、招待者にＦＡＸがある場合は、前記電話回線接続部から通信回線を介して選出招待者の前記ファックス番号へ自動的に前記招待案内状を送信する招待案内状配信手段とを少なくとも備えることを特徴とする。
【００１１】
また、前記招待案内状には、少なくとも会員氏名、会員番号、招待日、招待場所及び席と共に、それらの会員番号、招待日及び招待場所及び席の総てに関連付けられた英数字、バーコード、二次元コード、カルラコードのいずれかに決めたパターンを生成して一意の認証コードを記載する認証コード生成／記載手段を備えることを特徴とする。
【００１２】
また、前記認証コードのコード読取機と、前記通信投票会員に発行される会員カード或いは会員ＩＣカードのカード読取機とをさらに備え、
前記パソコンで印刷された招待状或いは前記ＦＡＸで通知された招待状の認証コードを認証コード読取機で読取り、１時メモリに記憶させる認証コード読取手段と、
前記会員カードをカード読取機で読取り、１時メモリに記憶させる会員カード読取手段と、
それらの１時メモリデータを前記会員データベースに基づいて照合し、招待状の確認を行う招待状確認手段とを備えることを特徴とする。
【発明の効果】
【００１３】
本発明の競馬場観覧席招待システムは以下に示す効果を奏する。
すなわち、招待者の抽出は現在までの通信投票による購入金額履歴に加えて、性別、年齢層、地域、趣味の情報を基にそれらの重み係数を定めて自動的に行い、競馬場無料招待者などの選出を行うことができる。
【００１４】
具体的にはキャンペーン毎に、熟年高額購入者会員、若年男女会員、或いは女性会員と定めて抽出し、招待効果を上げることができる。
【００１５】
さらに、抽出及びその抽出者への通知、さらに来場した招待者の確認方法も認証コードを使用して自動化した効率のよいシステムとすることができる。
【発明を実施するための最良の形態】
【００１６】
本発明の実施の形態を以下図に基づいて説明する。図１は本発明の競馬場観覧席招待システムの一実施例を示す図である。
【００１７】
図１において、１０は本発明の競馬場観覧席招待システムを示す。３０、３０´派、インターネットを介して勝馬投票券を購入できる通信投票会員に登録している加入者のパソコン端末機、携帯電話を示す。３０ａ、３０ａ´はそれぞれのＷｅｂブラウザを示す。
【００１８】
４０は、ＰＢ音操作による投票データ送信可能プッシュホン電話を示し、この操作により勝馬投票券を購入できる通信投票会員に登録している加入者のプッシュホン電話である。
【００１９】
５０は、ＦＡＸ装置を示し、プッシュホン電話４０による加入者は必ずＦＡＸ装置５０を必要とする。パソコン５０による加入者はプリンタかＦＡＸ装置５０のいずれかを必要とする。
【００２０】
９０は各社インターネット網を示し、８０はそれぞれの無線基地局を示す。７０は公衆電話通信回線を示す。
【００２１】
２０は勝馬投票運営企業が運用する投票管理センタを示し、その情報センタには最新の各競馬場における投票情報データが収集され、発行された勝馬投票券とそれぞれ受付番号、現在までの履歴データがデータベースに蓄積されている。従って、前記通信投票会員に関するデータは所定時刻毎にこの投票管理センタ２０に接続し、会員データベース１４ａを更新する。
【００２２】
競馬場観覧席招待システム１０はＷｅｂサーバ１１、モデムを含む通信回線接続部１２、競馬場観覧席招待業務手段１３ａを備えるアプリケーションサーバ１３、その招待業務用データベース１４ｂ及び前記会員データベース１４ａを備えるデータベース１４からなる。
【００２３】
さらに詳しくは、通信回線接続部１２にはプッシュホン電話４０よりＰＢ音操作による競馬場招待希望申入の受付に応答できる音声応答回路部１２ａを備える。
【００２４】
また、選出した招待者のＦＡＸ５０へ招待状を自動的に配信するＦＡＸ配信回路部１２ｂを備える。
【００２５】
アプリケーションサーバ１３の競馬場観覧席招待業務手段１３ａは、以下に示す手段１３ｂ〜手段１３ｊよりなる。
【００２６】
手段１３ｂは、所定時刻毎に前記投票管理センタ２０へ通信回線７０を介して接続し、最新の通信投票会員の会員カード番号又は会員ＩＣカード番号とその情報データを受信し、前記会員データベース１４ａを更新する会員番号・情報受信手段１３ｂである。
【００２７】
手段１３ｃは、投票管理センタが企画する競馬場観覧席招待キャンペーンに基づいて、予め会員にキャンペーン参加意思、メールアドレス、ファクス番号、来場を希望する競馬場名の記入欄のあるキャンペーン参加希望入力画面を送信し、その入力データを受信し、会員データベースに登録するキャンペーン参加希望入力画面送信／登録手段１３ｃである。
【００２８】
手段１３ｄは、会員データベース１４ａのキャンペーン参加希望者毎に、さらに、投票管理センタ２０から受信している投票履歴と、現在までのキャンペーンによる招待回数及び年齢、住所、趣味、性別を含む情報データを加える登録情報追加手段１３ｄである。
【００２９】
手段１３ｅは、会員データベース１４ａに基づいて、参加希望者毎に、投票回数、投票金額、年齢、住所、趣味・性別を含む情報と招待者数すなわち、来賓席数、指定席数、一般席数それぞれの招待者数とを選択条件として招待者選択プログラムに入力し、演算させて招待者を決める招待者選出手段１３ｅである。
【００３０】
手段１３ｆは、自動抽出された招待者に対して、Ｗｅｂサーバからインターネットを介して招待者の前記メールアドレスに前記招待案内状を配信し、招待者にＦＡＸがある場合は電話回線接続部１２のＦＡＸ配信回路部１２ｂから電話通信回線７０を介して選出招待者のファックス番号へ自動的に前記招待案内状を送信する招待案内状配信手段１３ｆである。
【００３１】
手段１３ｇは、前記招待案内状には、少なくとも会員氏名、会員番号（会員カード番号又は会員ＩＣカード番号）、招待日、招待場所及び席の総てに関連付けられた英数字、バーコード、二次元コード、カルラコードのいずれかに決めたパターンを生成して一意の認証コードを記載する認証コード生成／記載手段１３ｇである。
【００３２】
手段１３ｈは、パソコン３０のプリンタで印刷された前記招待状（招待案内状）或いはＦＡＸ装置５０で通知された招待状（招待案内状）の認証コード読取機１５で読取り、１時メモリに記憶させる認証コード読取手段１３ｈである。
【００３３】
手段１３ｉは、会員カードをカード読取機１６で読取り、１時メモリに記憶される会員カード読取手段１３ｉである。
【００３４】
手段１３ｊは、それらの１時メモリデータを会員データベース１４ａに基づいて照合し、招待状（招待案内状）の確認を行う招待状確認手段１３ｊである。
【００３５】
次に、図２〜４に、図１の競馬場観覧席招待システム１０の動作の流れを示す。図２は招待者の抽出までの流れを示す。
【００３６】
アプリケーションサーバ１３は、所定時刻毎に投票管理システム２０と通信回線を介して接続し、現時点の通信投票会員のカード番号及び情報データを受信し、会員データベース１４ａを更新する。（Ｓ−２１、手段１３ｂ）
【００３７】
次に、アプリケーションサーバ１３は、招待キャンペーンの企画に基づいて、必要項目入力欄のあるキャンペーン参加希望入力画面を送信する。（Ｓ−２２）
【００３８】
次に、アプリケーションサーバ１３は、前記キャンペーン参加希望入力画面のデータを受信すれば、自動的にそのデータを会員データベース１４ｂのそれぞれの会員毎に記録する。（Ｓ−２３、手段１３ｃ）
【００３９】
次に、アプリケーションサーバ１３は投票管理システム２０から受信する会員投票履歴をその都度追加・更新する。（Ｓ−２４）
【００４０】
同時に、現在までのキャンペーンによる招待回数等をデータベース１４ａに追加登録する。（Ｓ−２５、手段１３ｄ）
【００４１】
次に、アプリケーションサーバ１３は、最新の会員データベース１４ａを基に、キャンペーンの主旨に合わせて投票回数、投票金額、年齢、住所、趣味・性別などの情報と、競馬場運用から定める招待者数とを選択パラメータとし、それぞれの重み係数を定めて招待者選択プログラムを実行する。（Ｓ−２６）
【００４２】
来賓席、指定席、一般席それぞれの招待者名を抽出する。（Ｓ−２７、手段１３ｅ）
【００４３】
図３はその抽出した招待案内状の配信の流れを示す。
【００４４】
アプリケーションサーバ１３は抽出結果に基づいて、それぞれの抽出会員に対する招待案内状を作成する。（Ｓ−３１）
【００４５】
先ず、作成する招待案内状は会員氏名、会員番号、招待日、招待場所及び席を記載する。（Ｓ−３２）
【００４６】
次に、アプリケーションサーバ１３は、その案内状に認証コードのパターンを記載する。そのパターンは、前記会員氏名、会員番号、招待日、招待場所及び席の総てに関連付けた英数字、バーコード、２次元コード、カラルコードのいずれかに決めて生成する。（Ｓ−３３、手段１３ｇ）
【００４７】
次に、アプリケーションサーバ１３は、前記招待案内状が抽出全招待者に対して総て生成すれば、自動的に招待者のメールアドレスへその案内状を配信する。（Ｓ−３４）
【００４８】
ここで、メールアドレスによる配信先は、パソコン３０及び携帯電話３０´である。
【００４９】
次に、アプリケーションサーバ１３は、さらに、案内状を抽出招待者のＦＡＸ番号へ配信する。（Ｓ−３５、手段１３ｆ）
【００５０】
ここで、ＦＡＸ番号は主としてプッシュホン電話４０を持つ会員のＦＡＸ５０の番号であるが、パソコン３０、携帯電話３０´を持つ会員のＦＡＸ５０の番号でも、希望があればＦＡＸへ配信することができる。
【００５１】
図４はその抽出招待者が競馬場へ来場したときの招待者の確認の流れを示す。
【００５２】
先ず、アプリケーションサーバ１３は招待者の持参する会員カードを会員カード読取機１６により読取り、１時メモリに記憶させる。（Ｓ−４１、手段１３ｉ）
【００５３】
次に、アプリケーションサーバ１３は招待者の持参するパソコン３０により印刷した或いはＦＡＸにより受信した招待案内状の認証コードを認証コード読取機１５により読取り、１時メモリに記憶させる。（Ｓ−４２、手段１３ｈ）
【００５４】
次に、アプリケーションサーバ１３は会員データベース１４ａに基づき、前記会員カード、認証コードを照合し招待状の確認を判定し、その結果を表示部へ出力する。（Ｓ−４３、手段１３ｊ）
【００５５】
以上のＳ−４１〜Ｓ−４３の手段によるアプリケーションサーバ１３の対応により、パソコン３０を利用している通信投票会員と、プッシュホン電話４０を利用している通信投票会員とは、会員カードと認証コードを印刷してある案内状により入場することができる。
【００５６】
一方、携帯電話３０´を利用している通信投票会員の場合は、プリンタによる印刷の案内状又はＦＡＸ受信の案内状にかえて携帯電話に通知された招待状を表示できれば、その認証コードの読み取り、または目視確認と会員カードの確認で入場させることも可能である。
【図面の簡単な説明】
【００５７】
【図１】本発明の競馬場観覧席招待システムの一実施例を示す図である。
【図２】本発明の招待システムの動作の流れを示す図（１）である。
【図３】本発明の招待システムの動作の流れを示す図（２）である。
【図４】本発明の招待システムの動作の流れを示す図（３）である。
【符号の説明】
【００５８】
１０    競馬場観覧席招待システム
１１    Ｗｅｂサーバ
１２    モデムを含む通信回線接続部
１３    アプリケーションサーバ
１４    データベースサーバ
１５    認証コード読取機
１６    会員（ＩＣ）カード読取機
１９    ＬＡＮ
２０    投票管理システム
３０    パソコン
３０´  携帯電話
４０    プッシュホン電話
５０    ＦＡＸ
７０    電話通信回線
８０    無線基地局
９０    各社インターネット網
【図１】
2005149151.tif 000003
【図２】
2005149151.tif 000004
【図３】
2005149151.tif 000005
【図４】
2005149151.tif 000006